(57)【要約】スノーボードにおいて、周囲ボードと一体的になっていて該周囲ボードよりも肉厚で堅固なプラットフォームを有し、前記スノーボードは前記プラットフォームに回動可能に取り付けられた操作手段（２２、２４）を有し、該操作手段は第一の配置において前記スノーボードから遠方に延びるよう形成されていて第二の配置において前記スノーボードに対してほぼ平行に位置するスノーボードが提供される。
2004501692.tif 000002
【特許請求の範囲】
【請求項１】
ライダの脚を支持するようになっているプレート（１２）を具備し、該プレートはスノーボード（１０）に解放可能に固定されるよう形成されると共に配置されており、前記プレートは操作手段（２２、２４）を有しており、該操作手段（２２、２４）は前記プレートに回動可能に取り付けられていて第一の配置において前記スノーボードから遠方に延びるよう形成されているスノーボード用アクセサリ。
【請求項２】
ライダの脚を支持するようになっているプレート（１２）を具備し、該プレートはスノーボード（１０）に解放可能に固定されるよう形成されると共に配置されており、前記プレートは操作手段（２２、２４）を有しており、該操作手段（２２、２４）は前記プレートに回動可能に取り付けられていて第一の配置において前記スノーボードから遠方に延びるよう形成されており、前記操作手段は第二の配置において前記スノーボードに対してほぼ平行に位置するよう形成されているスノーボード用アクセサリ。
【請求項３】
前記操作手段が前記第一の配置において細長部材（２２）によって前記スノーボードから離間されるハンドル（２４）を具備する請求項１または２に記載のスノーボード用アクセサリ。
【請求項４】
前記細長部材には前記プレートに隣接する開口部（５）が形成されており、前記開口部は前記第二の配置にあるときに取手を提供するようになっている請求項３に記載のスノーボード用アクセサリ。
【請求項５】
前記プレートには取り外し可能なフットグリップ（３０）が設けられている請求項１から４のいずれか一項に記載のスノーボード用アクセサリ。
【請求項６】
前記フットグリップ（３０）は一つまたは複数のパッドを有し、これらパッドは使用時に該パッドとライダの脚との間の摩擦を大きくする材料から形成されている請求項５に記載のスノーボード用アクセサリ。
【請求項７】
前記操作手段が使用時に選択された角度で前記スノーボードのベースに固定可能な細長部材（２２）を含んでいる請求項１から６のいずれか一項に記載のスノーボード用アクセサリ。
【請求項８】
前記操作手段が長さを異なる値に設定可能な細長部材（２２）を含んでいる請求項１から７のいずれか一項に記載のスノーボード用アクセサリ。
【請求項９】
前記操作手段が前記プレートに解放可能に固定されており、それにより、前記操作手段が転倒時に分離して損傷を回避するようにした請求項１から８のいずれか一項に記載のスノーボード用アクセサリ。
【請求項１０】
請求項１から９に記載のアクセサリと、該アクセサリをスノーボードに解放可能に固定するための固定手段とを含むスノーボード。
【請求項１１】
スノーボードにおいて、周囲ボードと一体的になっていて該周囲ボードよりも肉厚で堅固なプラットフォームを有し、前記スノーボードは前記プラットフォームに回動可能に取り付けられた操作手段（２２、２４）を有し、該操作手段は第一の配置において前記スノーボードから遠方に延びるよう形成されているスノーボード。
【請求項１２】
スノーボードにおいて、周囲ボードと一体的になっていて該周囲ボードよりも肉厚で堅固なプラットフォームを有し、前記スノーボードは前記プラットフォームに回動可能に取り付けられた操作手段（２２、２４）を有し、該操作手段は第一の配置において前記スノーボードから遠方に延びるよう形成されていて第二の配置において前記スノーボードに対してほぼ平行に位置するスノーボード。
【発明の詳細な説明】
【０００１】
本発明は改良したスノーボードに関する。
【０００２】
近年においてはスノーボードはスキーの代替物として極めてポピュラーになっている。スノーボードはサーフィンの技術に雪上スキーの技術を結合させたものである。
【０００３】
改良式スノーボードは欧州特許第０７７８０５３号公報に開示されている。このスノーボードは凸状底部表面を有していて、ボードに回動可能に取り付けられたハンドルが設けられている。
【０００４】
本発明によれば、特許請求の範囲に規定されるようにスノーボードのためのアクセサリが提供される。
【０００５】
添付図面を参照することによって本発明の実施形態を後述する。
図１および図２を参照すると、細長いサーフボード状構造のスノーボード１０が示されており、使用時にはライダ（図示しない）がスノーボード１０上に立つ。ベースプレート１２がスノーボード１０に連結されている。盲ボルト（図示しない）によって連結作用が行われている。ハンドルバー２４が取り付けられたハンドルバーのステム２２がベースプレート１２に回動可能に連結されている。回動部２６をロックすることができ、それにより、ハンドルバーのステム２２をベースプレート１２に対してほぼ垂直方向に維持するかまたはハンドルバー２２を無固定状態にすることができる。ステム２２をベースボードに対して傾斜させられる変更可能なピッチ設定手段２８を設けてもよい。一旦傾斜させると、ステムは所定位置に固定されるか、または予め設定した傾斜位置と直立位置との間でステムを回動させることができる。
【０００６】
従来技術のハンドルシステムが備える欠点は、ボードを通常の場合よりも長手方向にさらに堅固にする必要があること、または凸状の雪係合面を有するようにする必要があることである。スノーボードはねじれに対して剛性を有するように設計されているが、縁部が雪に接触するのを維持するために長手方向に弾性的に可撓性を有する。さらに堅固なボードは予測不能な動作になりうる。使用時にライダが立つ堅固な別個のプレートを設けることによって、通常のフレックスパターン（ｆｌｅｘ　ｐａｔｔｅｒｎ）を有するスノーボードを使用することができ、これにより、さらに予測可能な方向転換（ｔｕｒｎｉｎｇ）を行うと共に、ハンドルバーを用いたスノーボードの操作が可能となる。このことは、ハンドルバーのレバー効果のためである。
【０００７】
本実施例においては、通常のバインディングのためにスノーボードの頂面に予め穿孔された穴を用いて四つのＭ６ボルトによって、アクセサリをスノーボードに取り付ける。迅速解放用クリップを用いた固定配列体を使用して、ベースプレートをスノーボードから迅速に取り外すことができる。どちらの場合においても、アクセサリを取り外すことができ、要求される場合にはスノーボードを通常のバインディングにより固定することができる。スノーボードは通常に使用できると共にベースプレートおよびハンドルバーと一緒に使用できるので、本発明の特徴はスノーボードを多目的に使用できることである。フットグリップ（３０）がベースプレート上に設けられている。フットグリップは摩擦係数の高い単なるゴム製パッドであってよく、もしくはこれらは（ウィンドサーフィンで使用されるような）ネオプレン製ループかまたは一般的なスノーボード用バインディングでもよい。
【０００８】
ゴム製パッドの欠点は、スノーボードのライダがスノーボードにストラップ留めされてないことである。このことは、ライダが滑落するときにライダはスノーボードに取り付けられておらず、これにより、怪我の危険性を少なくできることを意味する。
ハンドルバーのステムに開口部（５）を設け、図２に示すように折り曲げた状態でこの開口部（５）を用いてアクセサリとボードとを容易に搬送することができる。
【０００９】
前述した実施形態においてはアクセサリをスノーボードに解放可能に固定できるが、ボード全体の可撓性およびボードの縁部の雪接触特性を損なうことなしに、例えばボードの中心部分を厚くして長手方向に堅固にすることによって、スノーボード自体を変更してさらに堅固な堅固部分を有するようにすることもできる。この堅固部分は人が立つボードの残りの部分と一体的に形成されている。
【図面の簡単な説明】
【図１】本発明に基づくアクセサリの第一の配置における全体図である。
【図２】スノーボードと第二の配置におけるアクセサリとを示す図である。
【国際公開パンフレット】
2004501692.tif 000003
2004501692.tif 000004
2004501692.tif 000005
2004501692.tif 000006
2004501692.tif 000007
2004501692.tif 000008
2004501692.tif 000009
2004501692.tif 000010
【国際調査報告】
2004501692.tif 000011
2004501692.tif 000012